(57)【要約】 【課題】  下地材にタイル材を多数配列接着したタイル外壁を取り付ける場合でも、少ない手間で取り付け固定でき、材料の無駄を防止できる建物の外壁構造および建物の外壁の取り付け方法を提供する。【解決手段】  建物の構造体５に複数の胴縁２０を上下方向に所定間隔で設け、これらの胴縁２０に外壁部材１２を釘打ちで取り付ける建物の外壁構造とし、前記各胴縁２０は、前記外壁部材１２の取り付け用として予め設定された多数の釘打ち位置１５の横方向に並列する釘打ちピッチ列Ａのうち、上下方向に所定間隔をあけて設定された釘打ちピッチ列Ａに対応して設ける。【選択図】 図３
2005146593.tif 000002
【特許請求の範囲】
【請求項１】
建物の構造体に複数の胴縁を上下方向に所定間隔で設け、これらの胴縁に外壁部材を釘打ちで取り付ける建物の外壁構造であって、
前記各胴縁は、前記外壁部材の取り付け用として予め設定された多数の釘打ち位置の横方向に並列する釘打ちピッチ列のうち、上下方向に間隔をあけて設定された釘打ちピッチ列に対応して設けられていることを特徴とする建物の外壁構造。
【請求項２】
請求項１に記載の建物の外壁構造において、
前記外壁部材は、予め工場で下地材に多数枚のタイル材を配列接着して形成されたタイル外壁であり、このタイル外壁の上下方向に隣り合う前記タイル材間の目地部に前記釘打ちピッチ列が設定されていることを特徴とする建物の外壁構造。
【請求項３】
請求項１に記載の建物の外壁構造において、
前記外壁部材は、サイディングであることを特徴とする建物の外壁構造。
【請求項４】
請求項２または請求項３に記載の建物の外壁構造において、
前記タイル外壁とサイディングとは、略同一幅寸法で縦長に形成され、それぞれが縦割りで配置されていることを特徴とする建物の外壁構造。
【請求項５】
建物の構造体に複数の胴縁を設け、これらの胴縁に、予め工場で下地材に多数枚のタイル材を配列接着して形成されたタイル外壁を取り付ける建物の外壁の取り付け方法であって、
前記胴縁を、前記タイル外壁の取り付け用として上下方向に隣り合うタイル材間の目地部に予め設定された多数の釘打ち位置の横方向に並列する釘打ちピッチ列のうち、上下方向に間隔をあけた釘打ちピッチ列に対応した位置に取り付けておき、
前記タイル外壁を前記胴縁に押し当てるとともに、前記目地部の釘打ち位置から前記胴縁に釘を打ち込んで前記タイル外壁を前記胴縁に取り付けることを特徴とする建物の外壁の取り付け方法。
【発明の詳細な説明】
【技術分野】
【０００１】
本発明は、建物に一般的なサイディングや下地材に多数のタイル材を配列接着したタイル外壁を取り付ける建物の外壁構造、および建物にタイル外壁を取り付ける建物の外壁の取り付け方法に関する。
【背景技術】
【０００２】
従来、建物の外壁の取り付けは、サイディング等の外壁材を胴縁に釘打ちして行っている。この胴縁は、木材等で形成され、建物の構造材である柱間の上下方向に所定間隔で架けわたされている（例えば、特許文献参照）。
【０００３】
【特許文献１】特開２０００−３４７９３号公報
【発明の開示】
【発明が解決しようとする課題】
【０００４】
ところで、建物の外観に変化を与え、見映えがよいこと等から、タイルを貼り付けた外壁が好んで用いられている。このタイルの貼り付けは、例えば下階部の全面に行うこともあり、一般のサイディングと隣り合わせて、下階、あるいは上階の一部に行うこともある。そして、タイルの貼り付けは、既に取り付けられたタイル用下地材に、モルタル等を用いて現場で接着、取り付けすることが一般的である。
しかし、この場合、現場作業が多くなるという課題があることから、その課題を解決し、より効率的にタイル貼りを行おうと、予め、工場等において製作されたタイル外壁を用いることが行われている。このタイル外壁は、下地材にタイル材を多数配列接着したものが使用される。そして、このようなタイル外壁を建物に取り付ける際は、タイル同士の間、つまりタイル目地部から下地材に釘打ちして前記胴縁に固定する必要がある。
【０００５】
ところが、胴縁は、前述のように、柱間の上下方向に所定間隔で架けわたされており、一方、タイル外壁のタイル目地部の位置は、タイルの大きさ等により異なる。そのため、予め決められた位置に設けられた胴縁にタイル外壁を釘打ちで取り付けようとすると、タイル目地部の位置と胴縁の位置とが必ずしも一致するとは限らない。そのため、タイル外壁のタイル目地部から釘を打ち付けたとき、その位置に胴縁がなくてタイル外壁を固定することができない、という問題が生じる。この場合、新たに胴縁を設ける等しなくてはならないので、多くの手間がかかるとともに、使われない胴縁が生じるため、無駄な材料が生じる。
【０００６】
本発明の目的は、下地材にタイル材を多数配列接着したタイル外壁を取り付ける場合でも、少ない手間で取り付け固定でき、材料の無駄を防止できる建物の外壁構造および建物の外壁の取り付け方法を提供することである。
【課題を解決するための手段】
【０００７】
本発明に係る請求項１の建物の外壁構造は、図面を参照して説明すると、図３に示すように、建物の構造体５に複数の胴縁２０を上下方向に所定間隔で設け、これらの胴縁２０に外壁部材１２を釘打ちで取り付ける建物の外壁構造であって、前記各胴縁２０は、前記外壁部材１２の取り付け用として予め設定された多数の釘打ち位置１５の横方向に並列する釘打ちピッチ列Ａのうち、上下方向に間隔をあけて設定された釘打ちピッチ列Ａに対応して設けられていることを特徴とするものである。
【０００８】
この発明によれば、胴縁が外壁部材の取り付け用釘打ちピッチ列に対応して設けられているので、釘打ちピッチ列の釘打ち位置に釘を打ち付けるだけで、外壁部材を胴縁に取り付け固定することができる。従って、例えば、下地材にタイル材を多数配列接着したタイル外壁を取り付ける場合でも、少ない手間で取り付け固定できるとともに、新たに胴縁を設けたりしなくてもよいので、材料の無駄を防止できる。
【０００９】
本発明に係る請求項２の建物の外壁構造は、図３に示すように、請求項１に記載の建物の外壁構造において、前記外壁部材１２は、下地材１３に多数枚のタイル材１４を配列接着したタイル外壁１２であり、このタイル外壁１２の上下方向に隣り合う前記タイル材１４間の目地部に前記釘打ちピッチ列１５が設定されていることを特徴とするものである。
【００１０】
この発明では、タイル材間の目地部に複数の釘打ち位置からなる釘打ちピッチ列が設定されており、タイル外壁を胴縁に取り付ける際、目地部の釘打ち位置に釘を打ち付ければよいので、タイルが割れたり、ずれたりすることを防止でき、タイル外壁を容易に胴縁に取り付けることができる。
【００１１】
本発明の請求項３に係る建物の外壁構造は、図４に示すように、請求項１に記載の建物の外壁構造において、前記外壁部材は、サイディング１１であることを特徴とするものである。
この発明では、サイディングを取り付ける際、サイディングを胴縁に押し付けておいて、釘打ちピッチ列の釘打ち位置に釘を打ち付ければサイディングを胴縁に取り付けることができるので、サイディングの取り付けが容易である。
【００１２】
本発明に係る請求項４の建物の外壁構造は、図１に示すように、請求項２または請求項３に記載の建物の外壁構造において、前記タイル外壁１２とサイディング１１とは、略同一幅寸法で縦長に形成され、それぞれが縦割りで配置されていることを特徴とするものである。
【００１３】
この発明では、タイル外壁とサイディングとが、略同一幅寸法となっているので、取り扱いや管理が容易である。また、タイル外壁とサイディングとが縦割りで配置されているので、タイル外壁同士を隣接させる場合、サイディング同士を隣接させる場合、およびタイル外壁とサイディングとを隣接させる場合等、目地部へのパテ等の施工が容易である。
【００１４】
本発明に係る請求項５の建物の外壁の取り付け方法は、図３に示すように、建物の構造体５に複数の胴縁２０を設け、これらの胴縁２０に、下地材１３に多数枚のタイル材１４を配列接着して構成されたタイル外壁１２を取り付ける建物の外壁の取り付け方法であって、予め、前記胴縁２０を、前記タイル外壁１２の取り付け用として上下方向に隣り合うタイル材１４間の目地部に予め設定された多数の釘打ち位置１５の横方向に並列する釘打ちピッチ列Ａのうち、間隔をあけて設定された釘打ちピッチ列Ａに対応した位置に取り付けておき、前記タイル外壁１２を前記胴縁２０に押し当てるとともに、前記目地部Bの釘打ち位置１５から前記胴縁２０に釘２２を打ち込んで前記タイル外壁１２を前記胴縁２０に取り付けることを特徴とするものである。
【００１５】
この発明によれば、胴縁がタイル外壁取り付け用釘打ちピッチ列に対応して設けられており、釘打ちピッチ列は目地部に設けられているので、目地部の釘打ち位置に釘を打ち付ければよい。従って、タイルが割れたり、ずれたりすることを防止でき、タイル外壁を胴縁に取り付け固定することができる。また、少ない手間で取り付け固定できるとともに、新たに胴縁を設けたりしなくてもよいので、材料の無駄を防止できる。
【発明を実施するための最良の形態】
【００１６】
以下、本発明の実施形態を図面に基づいて説明する。
図１には、本実施形態の建物の外壁構造が適用された建物１の全体正面が示されている。
建物１は、基礎２の上に固定された建物部３と、これらの建物部３の上方に設けられる屋根部４とを備えて構成され、建物部３は、図３に示すように、壁パネル５、床パネル６、および天井パネル７等を組み立てて建てられ、屋根部４は、複数枚の屋根パネル８を組み合わせて構成され、このような建物１は、パネル工法により建てられた平屋建てである。
【００１７】
建物１の外壁１０は、サイディング１１と、予め下地材に多数枚のタイル材を接着配列したタイル外壁１２とを備えて構成されている。これらのサイディング１１と、タイル外壁１２とは、後に詳細を述べる胴縁２０に取り付け固定されている。そして、タイル外壁１２が取り付けられた部位のうち一つが玄関９を構成している。
【００１８】
タイル外壁１２は、図２，３に示すように、また、前述のように、１枚の防水性の下地材１３に多数枚のタイル材１４を配列接着して構成されている。下地材１３は、例えば木材で形成されている。タイル材１４は、大きさ、色彩、模様等が異なる多数種類あり、それらの中からユーザの要望により適宜選択使用される。
なお、タイル外壁１２の幅寸法は、建物建てる際の基準寸法としてのモジュール、例えば１モジュール；９１０ｍｍのもの、あるいは、例えば１／２モジュールの４５５ｍｍ幅のものが使用される。そして、このようなタイル外壁１２は、予め工場で生産されている。
【００１９】
下地材１３は例えば合板製とされ、縦長に形成されており、その下地材１３にタイル材１４が長手方向を水平に向けて横方向、および上下方向に多数配列され、所定の接着剤により取り付けられている。
【００２０】
図２に示すように、下地材１３の幅方向には、所定ピッチとなった例えば５箇所の釘打ち位置１５からなる釘打ちピッチ列Ａが設けられ、このような釘打ちピッチ列Ａが下地材１３の縦方向（上下方向）に複数列設けられている。そして、下地材１３の上下両端の釘打ちピッチ列Ａを除く釘打ちピッチ列Ａでは、釘打ちピッチ列Ａを挟んでタイル材１４が配列されている。従って、釘打ちピッチ列Ａは、タイル材１４とタイル材１４との間の目地部Ｂに設けられていることになる。
【００２１】
釘打ち位置１５は、使用するタイル材の幅および長さ寸法に対応して所定寸法に設定されており、複数種類のタイル材に対応している。また、下地材１３の上下両端部および左右両端部では、端部に近い位置に設定されている。なお、下地材１３の最下部の釘打ち位置１５は、耳板１６に対応している。
【００２２】
このようなタイル外壁１２が釘打ち固定される前記胴縁２０は、予め、前記釘打ちピッチ列Ａに対応して設けられている。
すなわち、胴縁２０は例えば木材で形成され、壁パネル５の外側に防水シート２１を介して、上下方向に釘打ちピッチ列Ａの間隔で、予め壁パネル５に取り付けられている。胴縁２０は、例えば上下方向に所定間隔をおいて８本設けられている。しかし、胴縁２０の数は、タイル外壁２０の大きさ、長さ等に応じて、適宜最適の数に設定すればよい。
【００２３】
以上のように所定間隔で設けられた胴縁２０には、通常のサイディング１１も取り付けられるようになっている。サイディング１１は、どの位置でも釘打ち可能であるが、サイディング１１にタイル外壁１２の釘打ち位置１５と同じ寸法で釘打ち位置を記しておけば、そこに釘を打ち込むことで、サイディング１１を容易に胴縁２０に取り付けることができる。なお、サイディング１１とタイル外壁１２とは、同一幅寸法で縦長に形成されている。また、サイディング１１とタイル外壁１２との上端部には、軒先４Ａにわたる軒天２５が設けられ、軒先４Ａには樋２６が設けられている。
【００２４】
以上のようなタイル外壁１２およびサイディング１１の取り付けは、図３，４に示すように、所定間隔で設けられている胴縁２０に、所定のタイル外壁１２を押し付け、釘打ち位置１５から釘２２を打ち込んで、タイル外壁１２を胴縁２０に取り付ける。所定数のタイル外壁１２を順次取り付けるとともに、同じように、サイディング１１をタイル外壁１２または他のサイディング１１と隣り合わせて胴縁２０に取り付けるとともに、釘２２の頭部をパテ等で覆う。
それぞれタイル外壁１２およびサイディング１１を取り付けた後、各部材１２，１１間の境界部には、シール用のパテ等が充填される。
【００２５】
このような本実施形態によれば、次のような効果が得られる。
（１）胴縁２０の取り付け位置が、タイル外壁１２の釘打ちピッチ列Ａに対応しているので、釘打ちピッチ列Ａの釘打ち位置１５に釘を打ち付けるだけで、タイル外壁１２を胴縁２０に取り付け固定することができる。従って、少ない手間で取り付け固定できるとともに、新たに胴縁を設けたりしなくてもよいので、無駄な材料の使用を防止できる。
【００２６】
（２）胴縁２０の取り付け位置が、タイル外壁１２の釘打ちピッチ列Ａに対応しており、この釘打ちピッチ列Ａは、タイル材１４間の目地部Ｂに設定されているので、タイル外壁１２を胴縁２０に取り付ける際、目地部Ｂの釘打ち位置１５に釘を打ち付ければよく、これにより、タイルが割れたり、ずれたりすることを防止でき、タイル外壁１２を容易に胴縁２０に取り付けることができる。
【００２７】
（３）タイル外壁１２は、予め工場で、下地材１３に多数のタイル材１４を配列接着して形成されており、現場では、そのタイル外壁１２を胴縁２０に取り付けるだけでよいので、現場作業が少なくてすむ。
【００２８】
（４）タイル外壁１２とサイディング１１とが、略同一幅寸法となっているので、取り扱いや管理が容易であるとともに、タイル外壁１２とサイディング１１とが縦割りで配置されているので、タイル外壁１２同士を隣接させる場合、サイディング１１同士を隣接させる場合、およびタイル外壁１２とサイディング１１とを隣接させる場合等、目地部Ｂへのパテ等の施工が容易である。
【００２９】
（５）サイディング１１の取り付けは、サイディング１１を胴縁２０に押し付けておいて、釘打ちピッチ列Ａの釘打ち位置１５に釘を打ち付ければサイディング１１を胴縁２０に取り付けることができるので、胴縁２０の位置をその都度確認しながら釘打ちしなくてもすみ、サイディング１１の取り付けが容易である。
【００３０】
なお、本発明は前述の実施形態に限定されるものではなく、本発明の目的を達成できる範囲での変形、改良等は本発明に含まれるものである。
例えば、前記実施形態では、タイル外壁１２を平屋建ての建物１の玄関９近傍に設けたが、これに限らず、タイル外壁１２を任意の位置に設けてもよく、また、２階建ての建物にも用いてもよい。
【００３１】
また、前記実施形態では、タイル外壁１２およびサイディング１１を取り付けた建物１は、いわゆるパネル工法の建物であったが、これに限らず、例えば、柱、梁からなる骨組みを有する建物ユニットを複数個組み合わせて建てられるユニット式建物にタイル外壁１２およびサイディング１１を取り付けてもよく、あるいは、いわゆる在来工法の建物にタイル外壁１２およびサイディング１１を取り付けてもよい。
【産業上の利用可能性】
【００３２】
本発明は、建物の外壁に利用できる。
【図面の簡単な説明】
【００３３】
【図１】本発明の建物の外壁構造が適用された建物を示す正面図である。
【図２】前記実施形態のタイル外壁を示す正面図である。
【図３】前記実施形態のタイル外壁の取り付け構造を示す縦断面図である。
【図４】前記実施形態のサイディングの取り付け構造を示す縦断面図である。
【符号の説明】
【００３４】
１…建物
５…壁パネル（建物の構造材）
１０…外壁
１１…サイディング
１２…タイル外壁
１３…下地材
１４…タイル材
１５…釘打ち位置
２０…胴縁
２２…釘
Ａ…釘打ちピッチ列
Ｂ…目地部
【図１】
2005146593.tif 000003
【図２】
2005146593.tif 000004
【図３】
2005146593.tif 000005
【図４】
2005146593.tif 000006